(57)【要約】【課題】操作性を向上させた文字入力を行う携帯電子機器、制御方法及び制御プログラムを提供すること。【解決手段】ディスプレイ１１の表面に対応して配され、接触を検出するタッチパネル１４と、入力するための文字を候補文字としてディスプレイ１１の候補文字表示領域１１ａに表示させると共に、入力された文字を入力文字としてディスプレイ１１の入力文字表示領域１１ｂに表示させる制御部１７とを有する。制御部１７は、候補文字表示領域１１ａに表示された第１の候補文字に対する接触が検出された場合に、接触が検出された第１の候補文字の表示を解除することなく、第２の候補文字を候補文字表示領域１１ａ内であって接触が検出された第１の候補文字が表示された領域とは異なる領域に表示させる。【選択図】図２
2012226590.tif 000002
【特許請求の範囲】
【請求項１】
表示部と、
前記表示部の表面に対応して配され、接触を検出する検出部と、
入力するための文字を候補文字として前記表示部の候補文字表示領域に表示させると共に、入力された文字を入力文字として前記表示部の入力文字表示領域に表示させる制御部と、を有し、
前記制御部は、前記候補文字表示領域に表示された第１の候補文字に対する接触が検出された場合に、当該接触が検出された第１の接触文字の表示を解除することなく、第２の候補文字を前記候補文字表示領域内であって接触が検出された前記第１の候補文字が表示された領域とは異なる領域に表示させ、その後に前記第２の候補文字に対する接触が検出された場合に、当該接触が検出された第２の候補文字の表示を解除することなく、第３の候補文字を接触が検出された前記第１の候補文字が表示されていた領域に当該第１の候補文字に替えて表示させ、接触が検出された前記第１の候補文字、接触が検出された前記第２の候補文字、及び接触が検出された第３の候補文字を続けて入力する文字として受け付ける携帯電子機器。
【請求項２】
前記制御部は、接触が検出された前記第２の候補文字、及び前記第３の候補文字が前記候補文字表示領域に表示されている場合に、前記第３の候補文字に対する接触が検出されると、当該接触が検出された第３の候補文字の表示を解除することなく、第４の候補文字を接触が検出された前記第２の候補文字が表示されていた領域に当該第２の候補文字に替えて表示させ、接触が検出された前記第３の候補文字、及び接触が検出された第４の候補文字を続けて入力する文字として受け付ける請求項１に記載の携帯電子機器。
【請求項３】
前記制御部は、前記第２の候補文字に対する接触が検出されて、接触が検出された前記第１の候補文字に替えて前記第３の候補文字を表示させた場合に、前記表示部に対する接触が継続した状態で、前記第３の候補文字に対する接触が検出されることにより、接触が検出されていた前記第２の候補文字に対する接触が解除されると、当該第２の候補文字の入力を確定して前記入力文字表示領域に表示させる請求項１又は２に記載の携帯電子機器。
【請求項４】
前記制御部は、接触が検出されていた前記第２の候補文字に対する接触が解除されることにより当該第２の候補文字の入力を確定して前記入力文字表示領域に表示させた場合に、前記表示部に対する接触が継続した状態で、前記第３の候補文字に対する接触が検出された後に、当該接触が解除されると、接触が検出された前記第３の候補文字の入力を確定して前記入力文字表示領域に表示させる請求項３に記載の携帯電子機器。
【請求項５】
前記制御部は、前記第２の候補文字への接触が検出されて、接触が検出された前記第１の候補文字に替えて前記第３の候補文字を表示させた場合に、前記第３の候補文字への接触が検出されずに接触が検出されていた前記第２の候補文字の接触が解除された場合には、当該第２の候補文字の入力を確定して前記入力文字表示領域に表示させると共に、接触が検出されていた前記第２の候補文字、及び前記第３の候補文字の表示が解除されて、前記第１の候補文字を前記表示部の前記候補文字表示領域に再度表示させる請求項１乃至４のいずれか１項に記載の携帯電子機器。
【請求項６】
前記制御部は、前記第１の候補文字に対する接触が所定時間以上検出された場合に、前記第２の候補文字を前記候補文字表示領域内であって接触が検出された前記第１の候補文字が表示された領域とは異なる領域に表示させる請求項１乃至５のいずれか１項に記載の携帯電子機器。
【請求項７】
前記制御部は、前記第１の候補文字の中から一の候補文字に対する接触が検出された場合に、当該一の候補文字と関係を有する関連候補文字を前記表示部の前記候補文字表示領域に表示させると共に、当該関連候補文字への接触が検出された場合には、接触が検出された関連候補文字を接触が検出された前記第２の候補文字として、当該第２の候補文字の表示を解除することなく、前記第３の候補文字を接触が検出された前記一の候補文字が表示されていた領域に当該一の候補文字に替えて表示させる請求項１乃至６のいずれか１項に記載の携帯電子機器。
【請求項８】
前記表示部における前記一の候補文字が割り当てられる領域に当該一の候補文字と共に複数の文字がそれぞれ割り当てられる場合に、前記一の候補文字と関係を有する前記関連候補文字は、当該一の候補文字が割り当てられる領域に割り当てられる前記複数の文字であり、
前記制御部は、前記第１の候補文字の中から前記一の候補文字に対する接触が検出された場合に、当該一の候補文字と関係を有する前記関連候補文字を前記一の候補文字を中心として放射状に表示させる請求項７に記載の携帯電子機器。
【請求項９】
前記制御部は、前記第１の候補文字に対する接触が検出され、前記第２の候補文字が前記候補文字表示領域内であって接触が検出された前記第１の候補文字が表示された領域とは異なる領域に表示された場合に、前記第１の候補文字に対する接触が検出されたままの状態で、前記第２の候補文字が表示された領域内における接触の移動を検出すると、表示されていない前記第２の候補文字の一部をスクロールして表示する請求項１乃至８のいずれか１項に記載の携帯電子機器。
【請求項１０】
前記制御部は、前記第１の候補文字に対する接触が検出され、前記第２の候補文字が前記候補文字表示領域内であって接触が検出された前記第１の候補文字が表示された領域とは異なる領域に表示された場合に、前記第２の候補文字が表示された領域の一部に対して、所定時間以上の接触を検出すると、表示されていない前記第２の候補文字の一部をスクロールして表示する請求項１乃至８のいずれか１項に記載の携帯電子機器。
【請求項１１】
表示部の表面に対応して配され、接触を検出する検出工程と、
入力するための文字を候補文字として前記表示部の候補文字表示領域に表示させると共に、入力された文字を入力文字として前記表示部の入力文字表示領域に表示させる制御工程と、を有し、
前記制御工程は、前記候補文字表示領域に表示された第１の候補文字に対する接触が検出された場合に、当該接触が検出された第１の候補文字の表示を解除することなく、第２の候補文字を前記候補文字表示領域内であって接触が検出された前記第１の候補文字が表示された領域とは異なる領域に表示させ、その後に前記第２の候補文字に対する接触が検出された場合に、当該接触が検出された第２の候補文字の表示を解除することなく、第３の候補文字を接触が検出された前記第１の候補文字が表示されていた領域に当該第１の候補文字に替えて表示させ、接触が検出された前記第１の候補文字、接触が検出された前記第２の候補文字、及び接触が検出された第３の候補文字を続けて入力する文字として受け付ける制御方法。
【請求項１２】
表示部の表面に対応して配され、接触を検出する検出工程と、
入力するための文字を候補文字として前記表示部の候補文字表示領域に表示させると共に、入力された文字を入力文字として前記表示部の入力文字表示領域に表示させる制御工程と、をコンピュータによって実現するための制御プログラムであって、
前記制御工程は、前記候補文字表示領域に表示された第１の候補文字に対する接触が検出された場合に、当該接触が検出された第１の候補文字の表示を解除することなく、第２の候補文字を前記候補文字表示領域内であって接触が検出された前記第１の候補文字が表示された領域とは異なる領域に表示させ、その後に前記第２の候補文字に対する接触が検出された場合に、当該接触が検出された第２の候補文字の表示を解除することなく、第３の候補文字を接触が検出された前記第１の候補文字が表示されていた領域に当該第１の候補文字に替えて表示させ、接触が検出された前記第１の候補文字、接触が検出された前記第２の候補文字、及び接触が検出された第３の候補文字を続けて入力する文字として受け付ける制御プログラム。
【発明の詳細な説明】
【技術分野】
【０００１】
本発明は、表示部への接触を検出可能な携帯電子機器、制御方法及び制御プログラムに関する。
【背景技術】
【０００２】
表示部への接触を検出可能な構成（例えば、タッチパネル）を有する携帯電子機器は、例えば、所定の接触操作によって文字を入力し、入力された文字（平仮名）を漢字に変換する場合には、所定の位置に表示される変換候補の中から所望の漢字を選択することにより行っていた（例えば、特許文献１参照）。
【先行技術文献】
【特許文献】
【０００３】
【特許文献１】特開２０１０−０７９６３１号公報
【発明の概要】
【発明が解決しようとする課題】
【０００４】
ところで、表示部への接触を検出可能な構成（例えば、タッチパネル）を有する携帯電子機器では、入力された入力文字を表示する領域と、入力するための候補文字（例えば、テンキー、ＱＷＥＲＴＹキー等）を表示する領域とが分割されている。そして、変換候補を表示するための所定の位置として、入力文字を表示する領域の一部を利用していた。
【０００５】
しかし、このような携帯電子機器では、表示領域が限られているために、変換候補を表示する場合に、入力文字を表示する領域が狭くなってしまうという問題があった。そこで、限られた表示領域においても、操作性を向上させた文字入力を行わせる必要がある。
【０００６】
本発明は、操作性を向上させた文字入力を行うことを可能とする携帯電子機器、制御方法及び制御プログラムを提供することを一つの目的とする。
【課題を解決するための手段】
【０００７】
本発明に係る携帯電子機器は、上記課題を解決するために、表示部と、前記表示部の表面に対応して配され、接触を検出する検出部と、入力するための文字を候補文字として前記表示部の候補文字表示領域に表示させると共に、入力された文字を入力文字として前記表示部の入力文字表示領域に表示させる制御部と、を有し、前記制御部は、前記候補文字表示領域に表示された第１の候補文字に対する接触が検出された場合に、当該接触が検出された第１の接触文字の表示を解除することなく、第２の候補文字を前記候補文字表示領域内であって接触が検出された前記第１の候補文字が表示された領域とは異なる領域に表示させ、その後に前記第２の候補文字に対する接触が検出された場合に、当該接触が検出された第２の候補文字の表示を解除することなく、第３の候補文字を接触が検出された前記第１の候補文字が表示されていた領域に当該第１の候補文字に替えて表示させ、接触が検出された前記第１の候補文字、接触が検出された前記第２の候補文字、及び接触が検出された第３の候補文字を続けて入力する文字として受け付ける構成である。
【０００８】
また、携帯電子機器では、前記制御部は、接触が検出された前記第２の候補文字、及び前記第３の候補文字が前記候補文字表示領域に表示されている場合に、前記第３の候補文字に対する接触が検出されると、当該接触が検出された第３の候補文字の表示を解除することなく、第４の候補文字を接触が検出された前記第２の候補文字が表示されていた領域に当該第２の候補文字に替えて表示させ、接触が検出された前記第３の候補文字、及び接触が検出された第４の候補文字を続けて入力する文字として受け付ける構成でも良い。
【０００９】
また、携帯電子機器では、前記制御部は、前記第２の候補文字に対する接触が検出されて、接触が検出された前記第１の候補文字に替えて前記第３の候補文字を表示させた場合に、前記表示部に対する接触が継続した状態で、前記第３の候補文字に対する接触が検出されることにより、接触が検出されていた前記第２の候補文字に対する接触が解除されると、当該第２の候補文字の入力を確定して前記入力文字表示領域に表示させる構成でも良い。
【００１０】
また、携帯電子機器では、前記制御部は、接触が検出されていた前記第２の候補文字に対する接触が解除されることにより当該第２の候補文字の入力を確定して前記入力文字表示領域に表示させた場合に、前記表示部に対する接触が継続した状態で、前記第３の候補文字に対する接触が検出された後に、当該接触が解除されると、接触が検出された前記第３の候補文字の入力を確定して前記入力文字表示領域に表示させる構成でも良い。
【００１１】
また、携帯電子機器では、前記制御部は、前記第２の候補文字への接触が検出されて、接触が検出された前記第１の候補文字に替えて前記第３の候補文字を表示させた場合に、前記第３の候補文字への接触が検出されずに接触が検出されていた前記第２の候補文字の接触が解除された場合には、当該第２の候補文字の入力を確定して前記入力文字表示領域に表示させると共に、接触が検出されていた前記第２の候補文字、及び前記第３の候補文字の表示が解除されて、前記第１の候補文字を前記表示部の前記候補文字表示領域に再度表示させる構成でも良い。
【００１２】
また、携帯電子機器では、前記制御部は、前記第１の候補文字に対する接触が所定時間以上検出された場合に、前記第２の候補文字を前記候補文字表示領域内であって接触が検出された前記第１の候補文字が表示された領域とは異なる領域に表示させる構成でも良い。
【００１３】
また、携帯電子機器では、前記制御部は、前記第１の候補文字の中から一の候補文字に対する接触が検出された場合に、当該一の候補文字と関係を有する関連候補文字を前記表示部の前記候補文字表示領域に表示させると共に、当該関連候補文字への接触が検出された場合には、接触が検出された関連候補文字を接触が検出された前記第２の候補文字として、当該第２の候補文字の表示を解除することなく、前記第３の候補文字を接触が検出された前記一の候補文字が表示されていた領域に当該一の候補文字に替えて表示させる構成でも良い。
【００１４】
また、携帯電子機器では、前記表示部における前記一の候補文字が割り当てられる領域に当該一の候補文字と共に複数の文字がそれぞれ割り当てられる場合に、前記一の候補文字と関係を有する前記関連候補文字は、当該一の候補文字が割り当てられる領域に割り当てられる前記複数の文字であり、前記制御部は、前記第１の候補文字の中から前記一の候補文字に対する接触が検出された場合に、当該一の候補文字と関係を有する前記関連候補文字を前記一の候補文字を中心として放射状に表示させる構成でも良い。
【００１５】
また、携帯電子機器では、前記制御部は、前記第１の候補文字に対する接触が検出され、前記第２の候補文字が前記候補文字表示領域内であって接触が検出された前記第１の候補文字が表示された領域とは異なる領域に表示された場合に、前記第１の候補文字に対する接触が検出されたままの状態で、前記第２の候補文字が表示された領域内における接触の移動を検出すると、表示されていない前記第２の候補文字の一部をスクロールして表示する構成でも良い。
【００１６】
また、携帯電子機器では、前記制御部は、前記第１の候補文字に対する接触が検出され、前記第２の候補文字が前記候補文字表示領域内であって接触が検出された前記第１の候補文字が表示された領域とは異なる領域に表示された場合に、前記第２の候補文字が表示された領域の一部に対して、所定時間以上の接触を検出すると、表示されていない前記第２の候補文字の一部をスクロールして表示する構成でも良い。
【００１７】
また、本発明に係る制御方法は、上記課題を解決するために、表示部の表面に対応して配され、接触を検出する検出工程と、入力するための文字を候補文字として前記表示部の候補文字表示領域に表示させると共に、入力された文字を入力文字として前記表示部の入力文字表示領域に表示させる制御工程と、を有し、前記制御工程は、前記候補文字表示領域に表示された第１の候補文字に対する接触が検出された場合に、当該接触が検出された第１の候補文字の表示を解除することなく、第２の候補文字を前記候補文字表示領域内であって接触が検出された前記第１の候補文字が表示された領域とは異なる領域に表示させ、その後に前記第２の候補文字に対する接触が検出された場合に、当該接触が検出された第２の候補文字の表示を解除することなく、第３の候補文字を接触が検出された前記第１の候補文字が表示されていた領域に当該第１の候補文字に替えて表示させ、接触が検出された前記第１の候補文字、接触が検出された前記第２の候補文字、及び接触が検出された第３の候補文字を続けて入力する文字として受け付ける構成である。
【００１８】
また、本発明に係る制御プログラムは、上記課題を解決するために、表示部の表面に対応して配され、接触を検出する検出工程と、入力するための文字を候補文字として前記表示部の候補文字表示領域に表示させると共に、入力された文字を入力文字として前記表示部の入力文字表示領域に表示させる制御工程と、をコンピュータによって実現するための制御プログラムであって、前記制御工程は、前記候補文字表示領域に表示された第１の候補文字に対する接触が検出された場合に、当該接触が検出された第１の候補文字の表示を解除することなく、第２の候補文字を前記候補文字表示領域内であって接触が検出された前記第１の候補文字が表示された領域とは異なる領域に表示させ、その後に前記第２の候補文字に対する接触が検出された場合に、当該接触が検出された第２の候補文字の表示を解除することなく、第３の候補文字を接触が検出された前記第１の候補文字が表示されていた領域に当該第１の候補文字に替えて表示させ、接触が検出された前記第１の候補文字、接触が検出された前記第２の候補文字、及び接触が検出された第３の候補文字を続けて入力する文字として受け付ける構成である。
【発明の効果】
【００１９】
本発明によれば、操作性を向上させた文字入力を行うことを可能とする。
【図面の簡単な説明】
【００２０】
【図１】携帯電話機の外観斜視図である。
【図２】携帯電話機の構成を示す機能ブロック図である。
【図３】接触操作に伴って携帯電話機の画面が遷移する様子を示す図である。
【図４】接触操作に伴って携帯電話機の画面が遷移する様子を示す図である。
【図５】接触操作に伴って携帯電話機の画面が遷移する様子を示す図である。
【発明を実施するための形態】
【００２１】
以下、本発明の実施の形態について説明する。まず、本発明の携帯電子機器の一実施形態に係る携帯電話機１の構成について、図１を参照しながら説明する。図１は、携帯電話機１の外観斜視図である。
【００２２】
携帯電話機１は、筺体２を備える。筺体２には、正面部に、ディスプレイ１１と、マイク１２と、スピーカ１３とが配置される。
【００２３】
ディスプレイ１１は、液晶又は有機ＥＬ等で構成されている。また、ディスプレイ１１は、表面にタッチパネル１４が形成されており、タッチパネル１４との組合せにより、入力インターフェースを構成する。
タッチパネル１４は、表面を棒状のペン（いわゆる、スタイラスペン）やユーザの指先によってタッチ（接触）されることにより、入力操作を受け付けることができる。
【００２４】
また、タッチパネル１４は、ディスプレイ１１の表面に透明又は半透明の素材で形成され、ディスプレイ１１を視認可能に配置されている。また、接触の感知方法としては、圧力の変化を感知する感圧方式と、静電気による電気信号を感知する静電容量方式と、光の遮断を感知する光導波路方式等に大別される。タッチパネル１４は、どの方式を採用しても良い。
【００２５】
マイク１２は、携帯電話機１のユーザが通話時に発した音声を入力するために用いられる。
スピーカ１３は、携帯電話機１のユーザの通話相手が発した音声を出力するために用いられる。
【００２６】
また、図２に携帯電話機１の機能的な構成を示す。
携帯電話機１は、図２に示すように、ディスプレイ１１と、マイク１２と、スピーカ１３と、タッチパネル１４と、通信部１５と、記憶部１６と、制御部１７とを備える。
【００２７】
通信部１５は、アンテナ１８を介して、所定の使用周波数帯で外部装置と通信を行う。具体的には、通信部１５は、アンテナ１８によって受信した信号を復調処理し、処理後の信号を制御部１７に供給する。また、通信部１５は、制御部１７から供給された信号を変調処理し、アンテナ１８を介して外部装置（基地局）に送信する。
【００２８】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていても良い。
【００２９】
制御部１７は、中央処理装置（ＣＰＵ）を含む半導体集積回路により構成されており、携帯電話機１全体を管理及び制御する。例えば、制御部１７は、記憶部１６に格納された各種のタスクを実行することにより、例えば、ディスプレイ１１に画像を表示したり、タッチパネル１４からの入力操作を受け付けたりする。これにより、制御部１７は、記憶部１６に格納されているプログラムを用いて、通話機能や、メールを作成するときに利用される文字入力機能等の様々なタスクを実行する。
【００３０】
このように構成される携帯電話機１は、文字の入力に際して、操作性を向上させた文字入力を行う機能を有している。
【００３１】
携帯電話機１は、ディスプレイ１１（表示部）と、タッチパネル１４（検出部）と、制御部１７とを有する。
タッチパネル１４は、ディスプレイ１１の表面に対応して配され、接触を検出する。
【００３２】
制御部１７は、入力するための文字を候補文字として、入力された文字を入力文字としてディスプレイ１１に表示させる。ここで、候補文字はディスプレイ１１の候補文字表示領域１１ａに、入力文字はディスプレイ１１の入力文字表示領域１１ｂに表示される（図３（ａ）参照）。
【００３３】
また、制御部１７は、候補文字表示領域１１ａに表示された第１の候補文字に対する接触が検出された場合に、接触が検出された第１の候補文字の表示を解除することなく、第２の候補文字を候補文字表示領域１１ａ内であって接触が検出された第１の候補文字が表示された領域とは異なる領域に表示させる。その後に第２の候補文字に対する接触が検出された場合に、接触が検出された第２の候補文字の表示を解除することなく、第３の候補文字を接触が検出された第１の候補文字が表示されていた領域に当該第１の候補文字に替えて表示させる。そして、接触が検出された第１の候補文字、接触が検出された第２の候補文字、及び接触が検出された第３の候補文字を続けて入力する文字として受け付ける。ここで、入力が受け付けられた後に入力が確定した文字は、入力文字表示領域１１ｂに表示される。
【００３４】
例えば、携帯電話機１は、平仮名文字の「あ段」（あ段とは、五十音で定められている「あ」、「か」、「さ」・・・をいう。）が割り当てられた仮想的なキーをディスプレイ１１に表示させた状態において（図３（ａ）を参照）、「な」に対する接触を検出した場合、「な」が割り当てられた仮想的なキーの周囲に、その関連文字（本実施例の場合、「な」の関連文字は、「に」、「ぬ」、「ね」及び「の」である）が割り当てられた仮想的なキーを表示する（図３（ｂ）を参照）。
【００３５】
携帯電話機１は、「な」に対応するキーへの接触状態から、摺動動作（スイープ）により「に」に対応するキーへの接触を検出した場合には、「に」の表示を解除することなく、候補文字表示領域１１ａ内であって、「に」が表示された領域（図３中のＡ）とは異なる領域（図３中のＢとＣの結合領域又はＤ）に「に」の変換候補（例えば、「におい」、「日本橋」、「日光」、「日本」等）を表示する（図３（ｃ）を参照。）。
【００３６】
また、携帯電話機１は、ディスプレイ１１の表示態様が図３（ｂ）に示すような態様において、「な」に対応するキーへの接触状態から、摺動動作（スイープ）により「ね」に対応するキーへの接触を検出した場合には、「ね」の表示を解除することなく、候補文字表示領域１１ａ内であって、「ね」が表示された領域（図３中のＣ）とは異なる領域（図３中のＡとＢの結合領域又はＤ）に「ね」の変換候補を表示する。
【００３７】
また、同様にして、携帯電話機１は、ディスプレイ１１の表示態様が図３（ｂ）に示すような態様において、「な」に対応するキーへの接触状態から、摺動動作（スイープ）により「ぬ」に対応するキーへの接触を検出した場合には、「ぬ」の表示を解除することなく、候補文字表示領域１１ａ内であって、「ぬ」が表示された領域（図３中のＢ）とは異なる領域（図３中のＡ、Ｃ又はＤ）に「ぬ」の変換候補を表示する。
【００３８】
また、同様にして、携帯電話機１は、ディスプレイ１１の表示態様が図３（ｂ）に示すような態様において、「な」に対応するキーへの接触状態から、摺動動作（スイープ）により「の」に対応するキーへの接触を検出した場合には、「の」の表示を解除することなく、候補文字表示領域１１ａ内であって、「の」が表示された領域（図３中のＢ）とは異なる領域（図３中のＡ、Ｃ又はＥ）に「の」の変換候補を表示する。
【００３９】
上記説明したように、携帯電話機１は、「な」に対応するキーへの接触状態から、摺動操作（スイープ）により「に」に対応するキーへの接触を検出した場合、ディスプレイ１１の表示態様が図３（ｃ）、図４（ａ）に示すような態様となる。そして、「に」に対応するキーへの接触状態から、摺動動作（スイープ）により表示された変換候補（例えば、「におい」、「日本橋」、「日光」、「日本」等）のうち「日本橋」に対応するキーへの接触を検出した場合には、接触が検出された「日本橋」の表示を解除することなく、「に」が表示されていた領域（図３中のＡ）に替えて「日本橋」の変換候補（例えば、「に」、「は」、「デパート」、「です」等）を表示する（図４（ｃ）参照）。
【００４０】
このように、第１の候補文字と同様に第２の候補文字を候補文字表示領域１１ａ内に表示することで、入力文字表示領域１１ｂにおける入力文字の表示を妨げず、操作性が向上する。また、第２の候補文字を接触が検出された第１の候補文字の表示を解除することなく、接触が検出された第１の候補文字が表示された領域とは異なる領域に表示させることで、接触が検出された第１の候補文字の表示を見ながらこれに続く第２の候補文字を選択できるため、操作性が向上する。そして、第３の候補文字を接触が検出された第２の候補文字の表示を解除することなく、接触が検出された第１の候補文字が表示されていた領域に当該第１の候補文字に替えて表示させることで、入力文字表示領域１１ｂにおける入力文字の表示を妨げず、かつ、接触が検出された第２の候補文字を見ながらこれに続く第３の候補文字を選択できるため、操作性が向上する。
また、ユーザは接触対象物（例えば、スタイラスペンや指）を摺動動作（スイープ）させるだけで次々と所望の文字を入力することができる。
【００４１】
なお、「異なる領域」とは、ユーザによる操作を妨げず、良好な操作を実現できる領域のことであり、上述はその一例に過ぎない。
【００４２】
このようにして、携帯電話機１は、文字の入力に際して、ユーザによる操作を妨げず、良好な操作を実現できる領域に第１の候補文字、第２の候補文字及び第３の候補文字を表示するので、操作性を向上させた文字入力を行うことができる。
【００４３】
なお、上述では、携帯電子機器の一実施形態に係る携帯電話機１の構成と動作について説明したが、これに限られず、各構成要素を備え、操作性を向上させた文字入力を行うための制御方法や、制御プログラムとして構成されても良い。
【００４４】
また、制御部１７は、接触が検出された第２の候補文字、及び第３の候補文字が候補文字表示領域１１ａに表示されている場合に、第３の候補文字に対する接触が検出されると、当該接触が検出された第３の候補文字の表示を解除することなく、第４の候補文字を接触が検出された第２の候補文字が表示されていた領域に当該第２の候補文字に替えて表示させる。そして、接触が検出された第３の候補文字、及び接触が検出された第４の候補文字を続けて入力する文字として受け付ける構成でも良い。ここで、入力が受け付けられた後に入力が確定した文字は、入力文字表示領域１１ｂに表示される。
【００４５】
具体的には、制御部１７は、第３の候補文字（例えば、「に」、「は」、「デパート」、「です」等）の中から「デパート」が選択されると、接触が検出された第２の候補文字である「日本橋」が表示されていた領域に「日本橋」に替えて「デパート」の変換候補を第４の候補文字として表示する（不図示）。
【００４６】
このようにして、携帯電話機１は、文字の入力に際して、ユーザによる操作を妨げず、良好な操作を実現できる領域に第４の候補文字を表示するので、操作性を向上させた文字入力を行うことを可能とする。
【００４７】
また、制御部１７は、第２の候補文字に対する接触が検出されて、接触が検出された第１の候補文字に替えて第３の候補文字を表示させた場合に、ディスプレイ１１に対する接触が継続した状態で、第３の候補文字に対する接触が検出されることにより、接触が検出されていた第２の候補文字に対する接触が解除されると、当該第２の候補文字の入力を確定して入力文字表示領域１１ｂに表示させる構成でも良い。
【００４８】
具体的には、制御部１７は、「に」の変換候補（例えば、「におい」、「日本橋」等の第１変換候補）がディスプレイ１１に表示されている状態において（図４（ａ）を参照）、変換候補の中から「日本橋」が選択されると、第１変換候補が表示された領域（図４（ｂ）中のＦ）とは異なる領域（図４（ｃ）中のＧ）に「日本橋」の変換候補（例えば、「に」、「は」等の第２変換候補）を表示する。
【００４９】
つぎに、制御部１７は、第１変換候補中の「日本橋」に対応するキーへの接触を検出した後に、接触を継続した状態で、第２変換候補中の「に」に対応するキーへの接触を検出することにより、「日本橋」に対応するキーへの接触が解除された場合には、「日本橋」の入力を確定する。
【００５０】
このようにして、携帯電話機１は、文字の入力に際して、容易に変換候補を利用した文字入力を行うことを可能とする。
【００５１】
また、制御部１７は、接触が検出されていた第２の候補文字に対する接触が解除されることにより当該第２の候補文字の入力を確定して入力文字表示領域１１ｂに表示させた場合に、ディスプレイ１１に対する接触が継続した状態で、第３の候補文字に対する接触が検出された後に、当該接触が解除されると、接触が検出された第３の候補文字の入力を確定して入力文字表示領域１１ｂに表示させる構成でも良い。
【００５２】
具体的には、制御部１７は、「に」（第１の候補文字）の変換候補（例えば、「におい」、「日本橋」等の第２の候補文字）がディスプレイ１１に表示されている状態において（図４（ａ）を参照）、変換候補の中から「日本橋」が選択されると、「に」（第１の候補文字）が表示されていた領域（図４（ｂ）中のＡ）に当該「に」に替えて「日本橋」の変換候補（例えば、「に」、「は」等の第３の候補文字）を表示する。
【００５３】
つぎに、制御部１７は、第２の候補文字中の「日本橋」に対応するキーへの接触を検出した後に、接触を継続した状態で、第３の候補文字中の「に」に対応するキーへの接触を検出することにより、「日本橋」に対応するキーへの接触の解除を検出した場合には、「日本橋」の入力を確定する。
【００５４】
つぎに、制御部１７は、「に」に対応するキーへの接触の解除を検出した場合には、すでに確定している「日本橋」の後に「に」の入力を確定する。
【００５５】
このようにして、携帯電話機１は、文字の入力に際して、操作性を向上させた文字入力を行うことを可能とする。
【００５６】
また、制御部１７は、第２の候補文字への接触が検出されて、接触が検出された第１の候補文字に替えて第３の候補文字を表示させた場合に、第３の候補文字への接触が検出されずに接触が検出されていた第２の候補文字の接触が解除された場合には、当該第２の候補文字の入力を確定して入力文字表示領域１１ｂに表示させると共に、接触が検出されていた第２の候補文字、及び第３の候補文字の表示が解除されて、第１の候補文字をディスプレイ１１の候補文字表示領域１１ａに再度表示させる構成でも良い。
【００５７】
具体的には、制御部１７は、「に」（第１の候補文字）の変換候補（例えば、「におい」、「日本橋」等の第２の候補文字）がディスプレイ１１に表示されている状態において（図４（ａ）を参照）、変換候補の中から「日本橋」が選択されると、「に」（第１の候補文字）が表示されていた領域（図４（ｂ）中のＡ）に当該「に」の表示に替えて「日本橋」の変換候補（例えば、「に」、「は」等の第３の候補文字）を表示する。
【００５８】
つぎに、制御部１７は、第３の候補文字に対する接触を検出せずに、第２の候補文字中の「日本橋」に対応するキーへの接触の解除を検出した場合には、「日本橋」の入力を確定し、第２の候補文字及び第３の候補文字の表示が解除されて、第１の候補文字を再度表示させる画面（図３（ａ））に遷移する。また、制御部１７は、第３の候補文字中の「デパート」に対応するキーに対する接触を検出して、その後に「デパート」に対応するキーへの接触の解除を検出した場合には、「デパート」の入力を確定し、第３の候補文字の表示が解除されて、第１の候補文字を再度表示させる画面（図３（ａ））に遷移しても良い。
【００５９】
このようにして、携帯電話機１は、文字の入力に際して、容易に変換候補を利用した文字入力を行うことを可能とし、かつ、他の文字への変換入力についてもスムーズに行うことを可能とする。
【００６０】
また、制御部１７は、第１の候補文字に対する接触が所定時間以上検出された場合に、第２の候補文字を候補文字表示領域１１ａ内であって接触が検出された第１の候補文字が表示された領域とは異なる領域に表示させる構成でも良い。
【００６１】
具体的には、制御部１７は、ディスプレイ１１に表示されている「に」（第１の候補文字）に対応するキーへの接触を所定時間（例えば、数秒間）以上検出した場合には、「に」の変換候補（例えば、「におい」、「日本橋」等の第２の候補文字）がディスプレイ１１に表示させる。
【００６２】
また、同様に、制御部１７は、ディスプレイ１１に表示されている「に」の変換候補（例えば、「におい」、「日本橋」等の第２の候補文字）の中で「日本橋」に対応するキーへの接触を所定時間（例えば、数秒間）以上検出した場合には、「日本橋」の変換候補（例えば、「に」、「は」、「デパート」等の第３の候補文字）を表示させても良い。
【００６３】
このように構成されることにより、携帯電話機１は、例えば、「に」に対する変換候補を表示させたいのに、間違えて「ぬ」に対応するキーを接触したが、直ぐ後に「ぬ」に対応するキーの接触を解除して、「に」に対応するキーを所定時間以上、接触し続けることにより、「に」に対する変換候補を表示させることができる。
【００６４】
また、制御部１７は、第１の候補文字の中から一の候補文字に対する接触が検出された場合に、当該一の候補文字と関係を有する関連候補文字をディスプレイ１１の候補文字表示領域１１ａに表示させると共に、当該関連候補文字への接触が検出された場合には、接触が検出された関連候補文字を接触が検出された第２の候補文字として、当該第２の候補文字の表示を解除することなく、第３の候補文字を接触が検出された一の候補文字が表示されていた領域に当該一の候補文字に替えて表示させる構成でも良い。
【００６５】
また、ディスプレイ１１における一の候補文字が割り当てられる領域に当該一の候補文字と共に複数の文字がそれぞれ割り当てられる場合には、一の候補文字と関係を有する関連候補文字は、当該一の候補文字が割り当てられる領域に割り当てられる複数の文字である。このような構成の場合には、制御部１７は、第１の候補文字の中から一の候補文字に対する接触が検出された場合に、当該一の候補文字と関係を有する関連候補文字を一の候補文字を中心として放射状に表示させる構成でも良い。
【００６６】
例えば、一の候補文字が「な」であり、「な」が割り当てられる領域に「に」、「ぬ」、「ね」、「の」、「Ｊ」、「Ｋ」、「Ｌ」及び「５」といった複数の文字が割り当てられる場合に、一の候補文字と関連を有する関連文字は「に」、「ぬ」、「ね」、「の」、「Ｊ」、「Ｋ」、「Ｌ」及び「５」のいずれであっても良い。さらに、関連文字は、当該一の候補文字が「か」の場合には、「き」、「く」、「け」、「こ」「Ａ」「Ｂ」「Ｃ」及び「２」であっても良い。
【００６７】
このような場合には、制御部１７は、第１の候補文字の中から一の候補文字に対する接触が検出された場合に、当該一の候補文字と関係を有する関連候補文字を一の候補文字を中心として放射状に表示させ、関連候補文字に対する接触が検出された場合には、接触が検出された関連候補文字を接触が検出された第２の候補文字として、当該第２の候補文字の表示を解除することなく、第３の候補文字を一の候補文字が表示されていた領域に当該一の候補文字に替えて表示させる構成でも良い（図３（ｃ）を参照）。
【００６８】
したがって、携帯電話機１は、文字の入力に際して、容易に変換候補を利用した文字入力を行うことを可能とし、かつ、一般的にユーザの使用感が良いと考えられる態様を提供することができる。
【００６９】
また、制御部１７は、第１の候補文字に対する接触が検出され、第２の候補文字が候補文字表示領域１１ａ内であって接触が検出された第１の候補文字が表示された領域とは異なる領域に表示された場合に、第１の候補文字に対する接触が検出されたままの状態で、第２の候補文字が表示された領域内における接触の移動を検出すると、表示されていない第２の候補文字の一部をスクロールして表示する構成でも良い。
【００７０】
具体的には、制御部１７は、「に」（第１の候補文字）に対応するキーへの接触を検出して、「に」の変換候補（例えば、「におい」、「日本橋」等の第２の候補文字）がディスプレイ１１に表示されている状態において（図４（ａ）を参照）、「に」に対応するキーへの接触の検出を継続しながら、第２の候補文字への接触が検出された場合には（マルチタッチを検出）、所定の位置にスクロールキー（図５（ａ）中のＳｃ）を表示させる。
【００７１】
制御部１７は、スクロールキーへの接触を検出した場合には、他の第２の候補文字を順次スクロール表示をする（図５（ｂ）を参照）。ここで、他の第２の候補文字とは、現在、ディスプレイ１１に表示されていない変換候補（例えば、「日常」、「二本」等である）のことである。なお、制御部１７は、他の第２の候補文字が存在しない場合には、スクロールキーは表示しない。
【００７２】
このようにして、携帯電話機１は、文字の入力に際して、容易に変換候補を利用した文字入力を行うことを可能とし、かつ、変換候補が多数ある場合にも、操作感を損なうことなくスクロール表示をすることができる。
【００７３】
また、制御部１７は、第１の候補文字に対する接触が検出され、第２の候補文字が候補文字表示領域１１ａ内であって接触が検出された第１の候補文字が表示された領域とは異なる領域に表示された場合に、第２の候補文字が表示された領域の一部に対して、所定時間以上の接触を検出すると、表示されていない第２の候補文字の一部をスクロールして表示する構成でも良い。
【００７４】
具体的には、制御部１７は、「に」（第１の候補文字）に対応するキーへの接触を検出して、「に」の変換候補（例えば、「におい」、「日本橋」等の第２の候補文字）がディスプレイ１１に表示されている状態において（図４（ａ）を参照）、「に」に対応するキーへの接触の検出を継続しながら、第２の候補文字への接触が所定時間（例えば、数秒間）以上検出された場合には、所定の位置にスクロールキーを表示させる。
【００７５】
このようにして、携帯電話機１は、文字の入力に際して、容易に変換候補を利用した文字入力を行うことを可能とし、かつ、変換候補が多数ある場合にも、操作感を損なうことなくスクロール表示をすることができる。
【００７６】
また、第１の候補文字、第２の候補文字、第３の候補文字、第４の候補文字を表示させることを例にあげたが、第４の候補文字に対する接触が検出されると、接触が検出された第４の候補文字の変換候補である第５の候補文字、第５の候補文字に対する接触が検出されると、第５の候補文字の変換候補である第６の候補文字を次々と候補文字表示領域１１ａ内に表示させることとしても良い。
【符号の説明】
【００７７】
１  携帯電話機
１１  ディスプレイ（表示部）
１１ａ  候補文字表示領域
１１ｂ  入力文字表示領域
１４  タッチパネル（検出部）
１７  制御部
【図１】
2012226590.tif 000003
【図２】
2012226590.tif 000004
【図３】
2012226590.tif 000005
【図４】
2012226590.tif 000006
【図５】
2012226590.tif 000007